(57)【要約】      （修正有）【課題】より簡単な構成で地震時等の引張力によってもフレキシブル管機能を損なうことがなく、配管時の接続作業が簡単な、新規な構造のフレキシブル管継手を提供する。【解決手段】離脱防止型の回転式フレキシブル管継手１０であって、フレキシブル管を構成するブレード１３とベローズ１４に対して軸方向の移動を拘束されるベースリング１２及びニップル１１を有しており、ニップルはテーパーねじを有する接続端部をもち、上記ブレードとベースリングとは固定リングによってかしめ固定され、上記ベローズとニップルとはＯリングにより回動自在に係合され、上記ニップルとベースリングとは、直結リングＲを介して回動自在に係止されている。【選択図】図２
0003107298.tif 000002
【実用新案登録請求の範囲】
【請求項１】
離脱防止型の回転式フレキシブル管継手であって、フレキシブル管を構成するブレードとベローズに対して軸方向の移動を拘束されるベースリング及びニップルを有しており、該ニップルはテーパーねじを有する接続端部をもち、上記ブレードとベースリングとは固定リングによってかしめ固定され、上記ベローズとニップルとはＯリングにより回動自在に係合され、上記ニップルとベースリングとは、直結リングを介して回動自在に係止されていることを特徴とするフレキシブル管継手。
【考案の詳細な説明】
【技術分野】
【０００１】
本願考案はフレキシブル管継手の改良に係り、特に、フレキシブル管と継手金具との結合部分及び接続金具部分における新規な構造を特徴とするものである。
【背景技術】
【０００２】
図３、図４により、従来のフレキシブル管継手の構造を説明する。
図３に、本願出願人の先の出願に係る管継手の一部断面を示すように、フレキシブル管継手２０はベースリング２２の環状凹溝２２Ａにフレキシブル管を、そのブレード２３に固着された固定リング２６をかしめることによって結合し、同じくフレキシブル管のベローズ２４の直管部分２４Ｂがニップル２１の基筒部２１Ｂの内部を通って端部まで挿通され、その直管部分の端は拡開部２４Ｃとされてニップル２１の端面に固着される。
【０００３】
この様にして形成された従来のフレキシブル管継手２０は、管の継手金具であるニップル２１とベースリング２２とが、夫々の環状凹溝２１Ｃ，２２Ｃによって形成される格納孔内に直結リングＲを格納した状態で構成されるので、同図の矢印Ｆのごとく引張力が作用した場合にも、該格納孔内の直結リングＲに作用する剪断力によってニップル２１とベースリング２２との移動が規制される。このため、地震等による引張力の作用時にも、フレキシブル管継手の機能を損うことがない。
【０００４】
図４は、他の公知のフレキシブル管継手３０の一部断面を示している。
このフレキシブル管継手３０は上記図３に記載されたものと同様に、ベースリング３２の環状凹溝３２Ａ内に、そのフレキシブル管のブレード３３の先端に固着されている固定リング３６をかしめることによって結合される。
一方、フレキシブル管のベローズ３４の直管部分３４Ｂが、ベースリング３２の内周面に設けられた環状凹溝３２Ｄ内に、Ｏリング３５を用いて固定されている。
【０００５】
また、ベースリング３２の外側端部にはリングナット３２Ｅが設けられており、テーパーニップル３１の結合部３１Ｆのねじ部と螺合する。そして、該テーパーニップル３１は、その他の配管の直管部分との接合端部にテーパーねじ３１Ｅを有しており、接合される直管に対して該テーパーニップル３１が回動可能とされている。
【０００６】
ところで、上記図３に示す形式のフレキシブル管継手２０の構造にあっては、例えば地震等によって配管部分に引張力が作用しても、ニップル２１とベースリング２２との間は直結リングＲを介して連結されているため、この様な引張力は該直結リングＲの剪断力によって支えられ、両者の離脱によってフレキシブル管の機能を損なうことは回避される。しかしながら、このような形式のフレキシブル継手にあっては、ニップル２１とベースリング２２との相対回転が許容されておらず、該フレキシブル管継手と他の配管との接続作業が不自由であった。
【０００７】
一方、図４に示す形式の従来公知のフレキシブル管継手３０にあっては、テーパーニップル３１とベースリング３２とはリングナット３２Ｅにより、多少の相対回動は許容されているけれども、ニップル２１とベースリング２２との接続のために更にリングナット３２Ｅを必要として、部品点数が多くなるという問題があった。
【特許文献１】特開２００１−２８９３７９号公報
【考案の開示】
【考案が解決しようとする課題】
【０００８】
本願考案は、これらの問題点を解決し、より簡単な構成で地震時等の引張力によってもフレキシブル管機能を損なうことがなく、配管時の接続作業が簡単な、新規な構造のフレキシブル管継手を提供するものである。
【課題を解決するための手段】
【０００９】
本願考案は、離脱防止型の回転式フレキシブル管継手であって、フレキシブル管を構成するブレードとベローズに対して軸方向の移動を拘束されるベースリング及びニップルを有しており、該ニップルはテーパーねじを有する接続端部をもち、上記ブレードとベースリングとは固定リングによってかしめ固定され、上記ベローズとニップルとはＯリングにより回動自在に係合され、上記ニップルとベースリングとは、直結リングを介して回動自在に係止されていることを特徴とするフレキシブル管継手である。
【考案の効果】
【００１０】
本願考案に係るフレキシブル管継手によれば、埋設等の配管状態において地震等による引張り力が作用した場合に、継手金具部分であるニップルとベースリングとは一体的に結合状態とされ、両金具が離脱する恐れがないとともに、極めて簡単な構造によってニップルとベースリングとの相対的な回動を可能としているために、上記従来品の不具合を解消することができた。
【考案を実施するための最良の形態】
【００１１】
本願考案の実施形態を図１、図２により説明する。
図１は、本願考案に係るフレキシブル管継手１０の、特に継手金具部分のみを分解した状態で、その一部断面を示している。また、図２は、図１に示す継手金具を有するフレキシブル管継手１０の完成図であって、その一部断面を示している。
【００１２】
図１において、基本的には従来のものと同様にテーパーニップル１１とベースリング１２とによって継手金具部を構成する。
本願考案のテーパーニップル１１は、筒状の基筒部１１Ａと外周面がテーパー状の接続筒部１１Ｂとを有しており、該テーパーニップル１１とその基筒部１１Ａ内に嵌入するベースリング１２とが対をなすものである。そして、該テーパーニップル１１とベースリング１２との嵌入部分に直結リングＲを介在させることにより、両者間の引張り力に抗するように構成されている。
【００１３】
詳細を説明すると、テーパーニップル１１はその接続筒部１１Ｂの外周に、他の配管とねじによって結合されるテーパーねじ部１１Ｅを有している。そして、基筒部１１Ａの中央内周面には、上記図３に示す従来例と同様に、フレキシブル管のベローズ（図２参照）の直管部分が固定される環状凹溝１１Ｃが設けられている。
また、基筒部１１Ａの内周側には環状凹溝１１Ｄが設けられている。
【００１４】
これに対して、ベースリング１２は、その外径が上記テーパーニップル１１の基筒部１１Ａの内径よりもやや小さく形成され、その外周側に環状凹溝１２Ｂが設けられている。そして、これらテーパーニップル基筒部１１Ａとベースリング１２の各環状凹溝１１Ｄ，１２Ｂの設置位置は、図２に示すように、上記テーパーニップル１１の基筒部１１Ａ内にベースリング１２を嵌挿した状態で、当該２つの環状凹溝１１Ｄ，１２Ｂが対向する位置に設けられており、その結果後述するようにして、直結リングＲのための環状の格納孔を形成するものである。
【００１５】
図１において符号Ｒは、例えば銅線からなる直結リングを示しており、ベースリング１２の環状凹溝１２Ｂに先ず図示Ｒ１の状態でセットされる。次に、ベースリング１２の環状凹溝１２Ｂ内で直結リングＲをＲ１からＲ２の位置まで押し込んだ状態で、該ベースリング１２をテーパーニップル１１の基筒部１１Ａ内に嵌挿すると、両者の位置関係は図２に示すようになる。なお、ベースリング１２には従来例と同様に、ブレード固定用の環状凹溝１２Ａが、その外周に設けられている。
【００１６】
図２は、このような継手金具を有するフレキシブル継手の、完成状態の一部断面を示している。上記図４におけるベースリングとフレキシブル管との関係と同様に、ブレード１３の先端部に固着された固定リング１６をベースリング１２の環状凹溝１２Ａ内でかしめて、ブレード１３をベースリング１２に固定する。また、ベローズ１４の直管部分１４Ｂは、上記テーパーニップル１１の環状凹溝１１ＣにＯリング１７によって回動可能に係合するものである。
【００１７】
一方、ベースリング１２の環状凹溝１２Ｂには、上記図１において説明したごとく直結リングＲが装着されているので、テーパーニップル１１とベースリング１２を連結することによって該直結リングＲがテーパーニップル１１の環状凹溝１１Ｄとによって形成される格納孔内に収まり、両者に作用する引張力に対して該直結リングＲの剪断力で対抗するものである。
【００１８】
このようにセットされたフレキシブル管継手１０は、そのテーパーニップル１１のテーパーねじ部１１Ｅに対して、これに接続される他の配管部端の接続ねじでねじ接合されると共に、テーパーニップル１１自体はフレキシブル管の接続部であるベースリング１２に対して、回動自在であると同時に引張荷重に対しても抗力を発生するものである。
【図面の簡単な説明】
【００１９】
【図１】本願考案に係るフレキシブル管継手の、継手金具部分の一部断面を示す説明図である。
【図２】図１に示す継手金具を有するフレキシブル管継手の一部断面図である。
【図３】本願出願人の出願に係る、従来のフレキシブル管継手の一部断面を示す構造説明図である。
【図４】従来公知のフレキシブル管継手の一部断面を示す構造説明図である。
【符号の説明】
【００２０】
１０  フレキシブル管継手
１１  テーパーニップル
１２  ベースリング
１３  ブレード
１４  ベローズ
Ｒ  直結リング
【図１】
0003107298.tif 000003
【図２】
0003107298.tif 000004
【図３】
0003107298.tif 000005
【図４】
0003107298.tif 000006